(57)【特許請求の範囲】
【請求項１】
遊技場内に設置され、所定の告知内容が表示された装飾体を保持する保持部本体を備えた装飾体保持具であって、
保持部本体は、プレート状の装飾体を挟持するプレート保持部と、フラッグ状の装飾体の棹部を保持するフラッグ保持部とが、一体的に形成された構造であり、フラッグ保持部とプレート保持部は前後方向に重なる配置であり、
保持部本体は弾性変形が可能であり、保持部本体が弾性変形することでフラッグ状の装飾体の棹部を挟持可能であり、かつ、保持部本体が弾性変形することでプレート状の装飾体を挟持可能であることを特徴とする装飾体保持具。
【請求項２】
前記保持部本体は、装飾体を差し込んで保持するもので、プレート状の装飾体を差し込むプレート差込口と、フラッグ状の装飾体を差し込むフラッグ差込口とを有し、各差込口から差し込まれる装飾体の進行方向は、互いにほぼ直交することを特徴とする請求項１に記載の装飾体保持具。
【請求項３】
前記保持部本体は、筒状体であり、
フラッグ差込口から差し込まれた装飾体は、保持部本体の軸線方向に沿って進行して保持されることを特徴とする請求項２に記載の装飾体保持具。
【請求項４】
プレート保持部を形成する互いに向き合った１対の対向部と、フラッグ保持部を形成する囲繞空間とを有し、
装飾体保持具の通常の設置状態を基準に、前記１対の対向部は、プレート状の装飾体を当該１対の対向部の間に、少なくとも前方から後方に向けて差し込むことが可能な配置であり、前記囲繞空間は、前記１対の対向部よりも後方側に位置することを特徴とする請求項１〜３のいずれかに記載の装飾体保持具。
【請求項５】
前記囲繞空間は、前記１対の対向部の間に差し込まれた装飾体の一部を受け入れ可能な配置であることを特徴とする請求項４に記載の装飾体保持具。
【請求項６】
前記囲繞空間は、少なくとも異なる２つの壁面によって形成されていることを特徴とする請求項４又は５に記載の装飾体保持具。
【請求項７】
保持部本体の姿勢を変更可能な姿勢変更手段を有し、
保持部本体は、姿勢変更手段によって、鉛直成分の傾きを変更可能であることを特徴とする請求項１〜６のいずれかに記載の装飾体保持具。
【発明の詳細な説明】
【技術分野】
【０００１】
本発明は、遊技場の演出効果を高める装飾体を保持するための装飾体保持具に関するものである。
【背景技術】
【０００２】
ぱちんこ機やスロット機等の遊技機が設置された遊技場では、一般的に、複数の遊技機が群を形成した遊技機島を備えた構成とされている。そして、この種の遊技場では、新台導入や、週あるいは月毎に行われるイベント等の演出を図るべく、遊技機島の構造体（例えば遊技機同士の間、幕板、あるいはランプ板等）に挟持構造の保持具（以下、挟持保持具という）を取り付け、その保持具に表示プレートを保持させている。例えば、特許文献１に挟持保持具に関する技術が開示されている。
また、遊技場には、表示プレートと同様の効果が期待できる、表示フラッグを用いる場合があり、この場合、筒構造の保持具（以下、筒状保持具という）が用いられている。
【先行技術文献】
【特許文献】
【０００３】
【特許文献１】特開平８−２１５４０４号公報
【発明の概要】
【発明が解決しようとする課題】
【０００４】
ところで、多くの遊技場では、ホール内をより効果的に演出するべく、前記した表示プレートと表示フラッグ（以下、総称して装飾体という）の双方が併用されている。そのため、この種の遊技場では、挟持保持具と筒状保持具の双方を準備する必要がある。
【０００５】
しかしながら、遊技場において、これら保持具と装飾体は相当な数量を要するため、発注の具合によっては、しばしば数のバランスが取れない場合があった。すなわち、装飾体に対して保持具の数が少なかったり、挟持保持具と筒状保持具の数量を間違えて、表示プレートの数に対して挟持保持具の数が過度に不足してしまうような場合である。そして、このような事態が発生すると、遊技場では、不足分の保持具を再度発注しなければならない。このため、遊技場の従業員は、これらの発注の際には細心の注意が必要であり、この作業が当該従業員とって大きな負担となっていた。
【０００６】
また、遊技場では、既存の挟持保持具の設置位置又は当該位置近傍に表示フラッグを飾ったり、逆に、既存の筒状保持具の設置位置又は当該位置近傍に表示プレートを飾ったりするなどの装飾レイアウトの変更を行う場合があるが、この種の保持具を採用した場合、新たな作業手間が発生したり、設備コストが増加してしまうという不満があった。すなわち、このような装飾レイアウトの変更を行う場合、既存の保持具を取り外して別の新たな保持具を付け直したり（例えば、挟持保持具から筒状保持具への付け替え）、あるいは既存の保持具の近傍に別の新たな保持具を取り付ける（例えば、既存の筒状保持具の隣に新たに挟持保持具を取り付ける）、という方策を講じる必要があり、従来技術では、装飾レイアウトを変更する際に、保持具の脱着手間や、新たな保持具の購入費用の発生を避けることは困難であった。
【０００７】
そこで、本発明では、従来技術の問題に鑑み、遊技場における従業員の装飾体保持具の発注に関わる作業負担を軽減できると共に、遊技場内の装飾レイアウトを変更する際の作業手間や費用増加を発生させない装飾体保持具を提供することを課題とする。
【課題を解決するための手段】
【０００８】
上記課題を解決するべく提供される請求項１に記載の発明は、遊技場内に設置され、所定の告知内容が表示された装飾体を保持する保持部本体を備えた装飾体保持具であって、保持部本体は、プレート状の装飾体を挟持するプレート保持部と、フラッグ状の装飾体の棹部を保持するフラッグ保持部とが、一体的に形成された構造であり、フラッグ保持部とプレート保持部は前後方向に重なる配置であり、保持部本体は弾性変形が可能であり、保持部本体が弾性変形することでフラッグ状の装飾体の棹部を挟持可能であり、かつ、保持部本体が弾性変形することでプレート状の装飾体を挟持可能であることを特徴とする装飾体保持具である。
すなわち、遊技場内に設置され、所定の告知内容が表示された装飾体を保持する保持部本体を備えた装飾体保持具であって、保持部本体は、プレート状の装飾体を挟持するプレート保持部と、フラッグ状の装飾体の棹部を保持するフラッグ保持部とが、一体的に形成された構造であり、フラッグ保持部とプレート保持部は前後方向に重なる配置であることを特徴とする装飾体保持具である。
【０００９】
本発明の装飾体保持具は、プレート保持部とフラッグ保持部が一体的に形成された保持部本体を備えた構成とされている。すなわち、本発明では、１つの保持具で、形態の異なる２種類の装飾体（プレート型とフラッグ型の装飾体）を保持することができる。換言すれば、本発明によれば、従来のように、装飾体保持具の種類を変更しなくとも、同一の装飾体保持具で異なる形態の装飾体を飾ることが可能である。これにより、遊技場では、形態の異なる装飾体を併用して装飾するような場合であっても、その装飾体の形態ごとに対応した装飾体保持具を用意する必要がなく、同一の装飾体保持具のみを発注すれば足りるため、従業員の発注に関わる作業負担が軽減される。
また、本発明によれば、遊技場内の装飾レイアウトを変更するような場合であっても、従来のように、既存の装飾体保持具を別の新たな装飾体保持具に付け替えたり、あるいは、既存の装飾体保持具の近傍に別の新たな装飾体保持具を取り付けることを要さないため、従業員の作業手間や費用増加を招くことがない。
【００１０】
保持部本体は弾性変形が可能であり、保持部本体は弾性変形してフラッグ状の装飾体の棹部及びプレート状の装飾体を挟持することが望ましい。
【００１１】
本発明の装飾体保持具は、前記保持部本体は、装飾体を差し込んで保持するもので、プレート状の装飾体を差し込むプレート差込口と、フラッグ状の装飾体を差し込むフラッグ差込口とを有し、各差込口から差し込まれる装飾体の進行方向は、互いにほぼ直交するものであることが望ましい。（請求項２）
【００１２】
また、本発明の装飾体保持具は、前記保持部本体は、筒状体であり、フラッグ差込口から差し込まれた装飾体は、保持部本体の軸線方向に沿って進行して保持されるものであっても構わない。（請求項３）
【００１３】
請求項４に記載の発明は、プレート保持部を形成する互いに向き合った１対の対向部と、フラッグ保持部を形成する囲繞空間とを有し、装飾体保持具の通常の設置状態を基準に、前記１対の対向部は、プレート状の装飾体を当該１対の対向部の間に、少なくとも前方から後方に向けて差し込むことが可能な配置であり、前記囲繞空間は、前記１対の対向部よりも後方側に位置することを特徴とする請求項１〜３のいずれかに記載の装飾体保持具である。
【００１４】
かかる構成によれば、フラッグ保持部が、プレート保持部の対向部よりも後方側に位置するため、フラッグ保持部とプレート保持部を、前後方向に重なるような配置にすることが可能である。すなわち、本発明では、フラッグ保持部とプレート保持部を前後方向に重なる配置にすることで、左右方向への広がりが抑制される。これにより、本発明では、従来のように、プレート保持部とフラッグ保持部が並列状に並ぶことがない上、遊技場における保持具の設置スペース、特に左右方向への広がりが、必要以上に広範囲化することがないため、すっきりした遊技場内の外観を確保することができる。このように、本発明の装飾体保持具では、保持具自体の小型化が図れるため、遊技場内における保持具の設置スペースを減縮でき、これに伴い、遊技場内の外観の質の低下を抑制することができる。
【００１５】
請求項５に記載の発明は、前記囲繞空間は、前記１対の対向部の間に差し込まれた装飾体の一部を受け入れ可能な配置であることを特徴とする請求項４に記載の装飾体保持具である。
【００１６】
かかる構成によれば、フラッグ保持部を、プレート保持部に差し込まれたプレート状の装飾体の一部を受け入れ可能な配置とし、フラッグ保持部とプレート保持部の配置を前後方向に並んだ直列状の配置としたため、更なる小型化を図ることができる。結果的に、本発明によれば、装飾体保持具の設置スペースを、より狭小なスペースに設置することができる。
【００１７】
本発明の装飾体保持具は、前記囲繞空間は、少なくとも異なる２つの壁面によって形成されていることが望ましい。（請求項６）
【００１８】
請求項７に記載の発明は、保持部本体の姿勢を変更可能な姿勢変更手段を有し、保持部本体は、姿勢変更手段によって、鉛直成分の傾きを変更可能であることを特徴とする請求項１〜６のいずれかに記載の装飾体保持具である。
【００１９】
かかる構成によれば、姿勢変更手段によって、保持部本体の鉛直成分の傾きを変更することができるため、例えば、装飾体の表示向きや、装飾体の大きさ等に合わせて柔軟に対応することが可能である。これにより、装飾体による、より効果的な演出を実施することが可能となる。
【発明の効果】
【００２０】
本発明の装飾体保持具は、プレート状の装飾体と、フラッグ状の装飾体の双方を、１つの部材で保持することができるため、遊技場従業員の発注に関わる作業負担を軽減できると共に、装飾レイアウトを変更する際の作業手間や費用増加を発生させることがない。
【図面の簡単な説明】
【００２１】
【図１】本実施形態に係る装飾体保持具が設置された遊技場の遊技機島を示す斜視図である。
【図２】図１の遊技機島を示すＡ−Ａ断面図である。
【図３】装飾体保持具を示す斜視図である。（実線の保持部材：立直姿勢、二点鎖線の保持部材：水平姿勢）
【図４】基体を示す正面図である。
【図５】姿勢変更部に注目した斜視図である。
【図６】保持部材を示す斜視図である。
【図７】保持部材の要部を示す断面図である。
【図８】保持部材を示す正面図である。
【図９】姿勢変更部の一部を破断した装飾体保持部を示す斜視図である。
【図１０】傾倒姿勢にした保持部材を示す斜視図である。
【図１１】（ａ）〜（ｃ）はプレート装飾体の取り付け方法及びその際の保持部材の挙動を示す説明図である。
【図１２】（ａ）、（ｂ）はフラッグ装飾体の取り付け方法を示す説明図である。
【図１３】第二実施形態における保持部材を示す断面図である。
【図１４】第三実施形態における保持部材を示す断面図である。
【図１５】第四実施形態における保持部材を示す断面図である。
【発明を実施するための形態】
【００２２】
以下に、本発明の実施形態に係る装飾体保持具１について説明する。
本実施形態の装飾体保持具１は、複数のぱちんこ機やスロット機等の遊技機３０を１つの群とした遊技機群（以下、遊技機島という）３１に適した構成であり、その遊技機島３１の島構造部２８に取り付けられて、遊技場内の演出効果を高めるべく、プレート状の装飾体（以下、プレート装飾体という）５０やフラッグ状の装飾体（以下、フラッグ装飾体という）５１を保持するものである。なお、フラッグ装飾体５１は、棹部５３に旗本体５２が取り付けられて形成されている。
以下においては、理解を容易にするため、１つの遊技機島３１に注目して説明する。
【００２３】
まず、本実施形態の装飾体保持具１が取り付けられる遊技機島３１について説明する。
遊技機島３１は、図１に示すように、島の外郭を形成する島構造部２８に複数の枠状の遊技機取付部３２が並列的に設けられており、遊技機３０はその各遊技機取付部３２に１台ずつ遊技機３０が設置されている。具体的には、本実施形態における遊技機島３１では、１つの遊技機島３１に並設された遊技機３０が２列（１列のみ図示）備えられている。
【００２４】
島構造部２８は、柱部材（図示しない）及び梁部材に化粧板４０等が取り付けられた構成であり、特に、図２に示すように、化粧板４０として、天井側から、天板３３、幕板３４、ランプ板３５、腰板３６、幅木３７が設けられている。
【００２５】
また、島構造部２８の内部には、各遊技機に遊技媒体（遊技球やメダル）を搬送する搬送路（図示しない）や、一時的に遊技媒体を貯留する島タンク（図示しない）、遊技媒体を研磨する研磨装置（図示しない）等の遊技機３０を動作させる際に関連する部材や機器が配されているが、本発明に特に関係しないため説明を省略する。
【００２６】
次に、本実施形態の装飾体保持具１について説明する。
装飾体保持具１は、主に島構造部２８のランプ板３５や幕板３４に、両面テープ等の接着手段やビス等の締結手段を用いて固定されるもので、図３に示すように、基体２と、保持部材（保持部本体）３と、保持部材３の姿勢変更を可能とする姿勢変更部５とで構成されている。
【００２７】
基体２は、図４に示すように、樹脂で成形された長方形状の板体で、長手方向端部近傍にそれぞれ部材厚方向に貫通した孔２０が設けられている。この孔２０は、ビス等の締結手段を挿通する孔であり、締結手段を用いて島構造部２８に固定する際に使用される。
【００２８】
姿勢変更部５は、図４、５に示すように、基体２と一体成形された部分で、向かい合った２つの扇状の板部（以下、扇状壁という）２１と、その２つの扇状壁２１を繋ぐ軸部２２で構成されている。
扇状壁２１は、基体２の長手方向一方の端部寄りの位置に配され、当該基体２の一方の平面から立設した部分である。より具体的には、扇状壁２１は、前記一方の端部側近傍において基体２の平面に対してほぼ直交方向（基体２の長手方向他方の端部側に若干傾斜）に立設した立設辺２５を有し、扇状壁２１の円弧部２３が、当該立設辺２５から、基体２の長手方向他方の端部側に向かうように形成されている。すなわち、装飾体保持具１を、基体２の前記長手方向他方の端部が前記一方の端部よりも上方に位置するように設置するとしたならば（以下、この設置状態を通常の設置状態とする）、円弧部２３は、立設辺２５を基準とした上部側（基体２の長手方向他方の端部側）で、立設辺２５の先端と基体２の平面とを結ぶ構成である。換言すれば、円弧部２３は、装飾体保持具１の通常の設置状態において、上に向かって凸となるような配置にされている。そして、この円弧部２３は、立設辺２５と基体２との間で、中心角が８０〜９０度となるように設定されている。
【００２９】
また、円弧部２３は、表面の一部の範囲に、歯車状に形成された歯面２６が形成されており、当該歯面２６の凹凸によって、保持部材３の姿勢を維持する構成とされている。より具体的には、この歯面２６は、扇状壁２１の立設辺２５を基準に、中心角がおおよそ６０〜７０度程度の範囲に形成されている。換言すれば、姿勢変更部５は、保持部材３の姿勢を、遊技場の床面を基準に、０〜９０度に渡って段階的（本実施形態では７段階）に変更できる構成とされている。
【００３０】
軸部２２は、装飾体保持具１の通常の設置状態を基準に、扇状壁２１における中央下側に位置において、対向する２つの扇状壁２１の間に配された、断面形状が円形の固定軸である。
【００３１】
保持部材（保持部本体）３は、プレート装飾体５０を挟持するプレート挟持機能と、フラッグ装飾体５１の棹部５３を保持するフラッグ保持機能の双方を兼ね備えた構成とされており、図６に示すように、本体部６と、装着部７とが一体的に成形された樹脂成形品である。
【００３２】
本体部６は、図６に示すように、ほぼ筒状であり、軸線方向一方の端部が開放され、他方の端部が閉塞された有底空間１８を備えた部分である。すなわち、本体部６は、筒状に巻回された側壁１１と、その側壁１１によって形成された筒の軸線方向他方の端部に配された底壁１２とで構成されている。
【００３３】
具体的には、側壁１１は、前記したように筒形状にされているが、１枚の板体を円筒状に巻回し、その巻回した端部を突き合わせることなく、筒の内側に丸め込んだような形状である。すなわち、図７に示すように、側壁１１は、本体部６の外郭を形成する外郭壁部１３と、当該外郭壁部１３と連続し筒の内側でほぼ楕円形に巻回された筒内壁部１５とを有する。換言すれば、側壁１１は、外郭壁部１３によって形成されたほぼ円形の外筒と、筒内壁部１５によって形成されたほぼ楕円形の内筒とを有する。
【００３４】
また、側壁１１は、外郭壁部１３と筒内壁部１５との境目（以下、境界部４１という）を２箇所有しており、境界部４１において軸線方向に切れ目状の外側開口４２が形成されている。そして、境界部４１から内側方向に延びた筒内壁部１５同士は、互いに対向しており、所定の位置に至るまで（以下、この範囲の対向する面を対向面（対向部）４３という）は、筒の内側に向かうにつれて、徐々に近接した関係とされている。そして、この所定の位置においては、筒内壁部１５同士が密着して密着部２７が形成されている。
【００３５】
また、筒内壁部１５における、密着部２７よりもさらに筒の内側であって、筒内壁部１５の端部に至るまでは、逆に、互いに離反する関係にされている。すなわち、筒内壁部１５の互いに対向した内側面は、密着部２７に至るまでは、内側にむかうに連れて近接した関係であり、密着部２７を越えた瞬間から、外郭壁部１３と対向するように反り返った形状にされている（以下、この反り返り形状の部分を反り返り部４５という）。そして、この筒内壁部１５の反り返り部（囲繞面）４５と、当該反り返り部４５と向き合った外郭壁部１３の一部（囲繞面）とによって、囲繞空間１９が形成されている。なお、筒内壁部１５の端部は、有底空間１８内にあり、いずれの壁面にも接触していない。
以上のように、本実施形態における保持部材３の本体部６は、断面が曲線を組み合わせた形状であり、且つ、側壁１１の端部が自由端であるため、弾性作用を奏する構造である。したがって、本体部６は、外力が作用すれば、容易に変形し得る構造である。
【００３６】
また、本体部６は、図８に示すように、底壁１２の側面に、姿勢変更部５の歯面２６と係合する姿勢維持用突起１６が２つ設けられている。そして、この２つの姿勢維持用突起１６は、それぞれ本体部６の周方向に、１８０度離反した位置関係であり、本体部６の外筒の直径の延長上であって、互いに離反する方向に突出するように設けられている。より具体的には、外側開口４２における本体部６の軸線方向に沿って延びた中心軸を基準に、１つの姿勢維持用突起１６が時計周りに９０度回転した位置、別の１つの姿勢維持用突起１６が反時計周りに９０度回転した位置に配されている。そして、この姿勢維持用突起１６の断面積は、姿勢変更部５の歯面２６の凹部に嵌り込む程度の大きさに設定されている。
【００３７】
装着部７は、図８に示すように、本体部６の底壁１２の中心から若干ずれた位置に配され、当該底壁１２の外面から本体部６の軸線方向に張り出した片状部分である。そして、装着部７は、張り出しの先端側に、軸保持部４６（図６）が設けられている。この軸保持部４６は、姿勢変更部５の軸部２２に対して回動可能に接続するべく、先端が二叉に分割されている。そして、この二叉片の内側部分であって、軸保持部４６の基端側に、軸部２２の外周に沿った円弧凹部４７が形成されている。すなわち、装着部７は、軸保持部４６によって、軸部２２の外周側から差し込むように装着可能であり、円弧凹部４７によって、軸部２２に対して相対的に回動可能に挟持させることができる構成とされている。
【００３８】
続いて、装飾体保持具１の各部分の位置関係について説明する。
本実施形態の装飾体保持具１は、基体２に一体的に成形された姿勢変更部５に対して、保持部材３が相対的に回動可能に接続されている。すなわち、装飾体保持具１は、図９に示すように、姿勢変更部５の軸部２２に、保持部材３の軸保持部４６が回動可能に配置され、且つ、姿勢変更部５の歯面２６に、保持部材３の姿勢維持用突起１６が係合された配置である。換言すれば、保持部材３は、軸部２２の外周に沿って回動し、歯面２６の凹凸によって、回動後の姿勢を維持することができる配置とされている。これにより、保持部材３は、図３の実線で示す軸線方向が基体２に対してほぼ平行な姿勢の立直姿勢と、図３の二点鎖線で示す軸線方向が基体２に対してほぼ直交な姿勢の水平姿勢との間の範囲で、任意に姿勢を変更することが可能である（例えば図１０の実線で示す傾倒姿勢）。
【００３９】
次に、装飾体保持具１の使用方法について説明する。
本実施形態の装飾体保持具１は、前記したように、プレート装飾体５０と、フラッグ装飾体５１の双方を保持することが可能である。
【００４０】
（プレート装飾体を装飾する場合）
通常の設置状態の装飾体保持具１に対して、プレート装飾体５０を保持させる場合は、まず、保持部材３を、図３に示す立直姿勢にし、その状態の保持部材３に対して、図１１（ａ）に示すように、プレート装飾体５０を外側開口４２から有底空間１８内に挿入するように差し込む。すると、プレート装飾体５０は、挿入側先端が筒内壁部１５によって形成された密着部２７に衝突し、本体部６を変形させる。すなわち、プレート装飾体５０から伝導される挿入方向の外力によって、図１１（ｂ）に示すように、密着部２７における対向面４３同士が互いに離反方向に移動する。これにより、プレート装飾体５０は、密着部２７を通過し、挿入側が有底空間１８内に導入される。より具体的には、プレート装飾体５０の挿入側は、囲繞空間１９内に導入される。そして、プレート装飾体５０は、図１１（ｃ）に示すように、所定の位置が、密着部２７の位置における対向面４３によって挟持される。すなわち、本実施形態の装飾体保持具１は、プレート装飾体５０を、外側開口４２から差し込むことで、対向面４３によって保持させることができる。
【００４１】
（フラッグ装飾体を装飾する場合）
通常の設置状態の装飾体保持具１に対して、フラッグ装飾体５１を保持させる場合は、保持部材３を、図１０に示す傾倒姿勢にし、その状態の保持部材３に対して、図１２（ａ）に示すように、フラッグ装飾体５１の棹部５３を囲繞空間１９内に挿入する。すると、棹部５３が囲繞空間１９に沿って底壁１２に向かって進行し、図１２（ｂ）に示すように、棹部５３の先端が所定の位置（本実施形態では底壁１２）に達すれば、確実に保持された状態となる。なお、本実施形態では、保持部材３の本体部６が弾性作用を奏する構造であるため、囲繞空間１９の開口径が棹部５３の断面径よりも若干小さければ、囲繞空間１９を形成する囲繞面（外郭壁部１３の一部と、筒内壁部１５の反り返り部４５）によって、棹部５３を挟持させることができる。この構成を採用する場合は、棹部５３の挿入を容易にするべく、囲繞空間１９への差込口をテーパー状に広がった形状とすることが好ましい。
【００４２】
以上のように、本実施形態では、保持部材３にプレート装飾体５０を挟持させるプレート挟持機能と、フラッグ装飾体５１の棹部５３を保持させるフラッグ保持機能の双方を備えた構成としたため、遊技場において、形態の異なる装飾体５０、５１の双方を飾り付けるような場合であっても、従業員の発注手間が負担となるようなことがない。
また同時に、遊技場内の装飾レイアウトを変更する際の作業手間や費用増加を発生させることがない。
【００４３】
また、本実施形態では、保持部材３は、プレート装飾体５０を差し込む外側開口４２と、フラッグ装飾体５１を保持する囲繞空間１９とが、プレート装飾体５０の差し込み方向に連通する配置にしたため、装飾体保持具１の通常の設置状態を基準に、遊技機３０の並設方向に占める部材長さ（装飾体保持具１の幅）が、大きくなり過ぎることがない。すなわち、本実施形態の装飾体保持具１は、従来の形態の異なる保持具を並列に並べた際の幅よりも小さいサイズとなるため、結果的に、遊技場内に設置した際に、外観を損なうようなおそれがない。
【００４４】
上記実施形態では、プレート装飾体５０を筒内壁部１５の対向面４３で挟持する構成を示したが、本発明はこれに限定されず、図１３に示すように、外郭壁部６３の対向する端部（対向部）６４で挟持する構成であっても構わない（第二実施形態）。そして、この構成を採用した場合、保持部材６１の内部であって、外郭壁部６３の端部６４から離反した位置に、囲繞空間６５を設けることで、上記実施形態とほぼ同様の作用効果を期待することができる。なお、囲繞空間６５は、図１３に示すような円形でも良いし、その他矩形であって構わない。
【００４５】
上記実施形態では、保持部材３の本体部６を円筒状にした構成を示したが、本発明はこれに限定されず、例えば、図１４に示すように、本体部６７の断面形状を方形状にし、上記実施形態と同様の、外側開口６８、密着部６９、及び、囲繞空間７０を備えた構成の保持部材６６を採用しても構わない（第三実施形態）。
【００４６】
また、上記実施形態では、保持部材３において、外側開口４２と囲繞空間１９とが連通する構成を示したが、本発明はこれに限定されず、保持部材において、外側開口と囲繞空間とが連通しない構成であっても構わない（第四実施形態）。
この構成としては、例えば、図１５に示す保持部材７１を採用しても構わない。すなわち、本体部７２における対向する筒内壁部７３の端部を囲繞空間形成壁７４で繋いで、外側開口７５と囲繞空間７６との連通関係を断ち切った構成である。また、この構成であれば、囲繞空間７６を、異なる２つの囲繞面たる、囲繞空間形成壁７４と本体部７２の外郭壁部７７とで形成することができる。
【００４７】
上記実施形態では、フラッグ装飾体５１の棹部５３を囲繞空間１９に挿入して保持させる使用方法を示したが、本発明はこれに限定されず、筒内壁部１５によって形成された内筒にフラッグ装飾体５１の棹部５３を挿入して保持させて使用しても構わない。
【符号の説明】
【００４８】
１    装飾体保持具
２    基体
３、６１、６６、７１    保持部材（保持部本体）
５    姿勢変更部（姿勢変更手段）
６、６７、７２    本体部
７    装着部
１１    側壁
１２    底壁
１３、６３    外郭壁部
１５    筒内壁部
１８    有底空間
１９、６５、７０、７６    囲繞空間
２７、６９    密着部
３０    遊技機
４２、６８、７５    外側開口（差込口）
４３    対向面
４５    反り返り部（囲繞面）
５０    プレート装飾体
５１    フラッグ装飾体
５３    棹部
６４    端部（対向部）
７４    囲繞空間形成壁（囲繞面）
【図１】
0005999896.tif 000002
【図２】
0005999896.tif 000003
【図３】
0005999896.tif 000004
【図４】
0005999896.tif 000005
【図５】
0005999896.tif 000006
【図６】
0005999896.tif 000007
【図７】
0005999896.tif 000008
【図８】
0005999896.tif 000009
【図９】
0005999896.tif 000010
【図１０】
0005999896.tif 000011
【図１１】
0005999896.tif 000012
【図１２】
0005999896.tif 000013
【図１３】
0005999896.tif 000014
【図１４】
0005999896.tif 000015
【図１５】
0005999896.tif 000016